(57)【要約】【課題】机の上に置いたときの画面の視認性が良好な端末装置を提供する。【解決手段】端末装置１０は、入力デバイス１ａを備えた固定側筐体１と、表示デバイス２ａを備えた可動側筐体２と、固定側筺体１と可動側筺体２とを接続する接続部７とを有する。この接続部７により、可動側筺体２は固定側筺体１に、スライド、回転及びチルト可能に接続されている。また、端末装置１０には、スライド時には可動側筺体２のチルトを禁止し、可動側筺体２を回転させると可動側筺体のチルトを許可するチルトロック機構が設けられている。【選択図】図２
2012060574.tif 000002
【特許請求の範囲】
【請求項１】
入力デバイスが設けられた固定側筐体と、
表示デバイスが設けられた可動側筐体と、
前記可動側筺体を前記固定側筺体に、スライド、回転及びチルト可能に接続する接続部と、
前記可動側筺体のスライド時には前記可動側筺体のチルトを禁止し、前記可動側筺体を回転させると前記可動側筺体のチルトを許可するチルトロック機構と
を有することを特徴とする端末装置。
【請求項２】
前記接続部は、
チルトプレートと、
前記チルトプレートを前記固定側筺体にチルト可能に接続するヒンジと、
前記チルトプレートの上方に立設されたガイドピンと、
前記チルトプレートの上方に回転可能に配置され、前記可動側筺体を把持する把持部と前記ガイドピンが貫通する曲線状のガイド穴とを備えたスイングプレートとを有することを特徴とする請求項１に記載の端末装置。
【請求項３】
更に、前記固定側筺体に設けられたチルトロックフックと、
前記チルトロックフックに対応する大きさで前記スイングプレートに形成された切り欠き部とを有し、
前記チルトロック機構は前記チルトロックフックと前記スイングプレートとを含んで形成されていることを特徴とする請求項２に記載の端末装置。
【請求項４】
前記ヒンジが、前記固定側筺体の長手方向中央部に配置されていることを特徴とする請求項２又は３に記載の端末装置。
【請求項５】
前記チルトロックフックは、前記固定側筺体に移動可能に設置されていることを特徴とする請求項３に記載の端末装置。
【発明の詳細な説明】
【技術分野】
【０００１】
本発明は、端末装置に関する。
【背景技術】
【０００２】
近年、スマートフォンを代表とする多機能携帯電話が広く使用されている。これらの多機能携帯電話の多くは、画面がスライドする機構を有している。以下、画面がスライドする機構を有する携帯電話等の端末装置を、スライド式端末装置という。スライド式端末装置では、入力キー（テンキー又はＱＷＥＲＴＹキー等）を備えた筺体（以下、固定側筺体という）と、液晶パネル等の表示デバイスを備えた筺体（以下、可動側筺体という）とを有する。
【０００３】
多機能携帯電話等の端末装置では、テレビ放送やインターネットを介して配信される動画、又はメモリに保存された動画などを表示できるものが多い。
【先行技術文献】
【特許文献】
【０００４】
【特許文献１】特開２００７−１４８８１７号公報
【特許文献２】特表２００２−５０４７８１号公報
【特許文献３】国際公開２００７／０３２２９１号
【発明の概要】
【発明が解決しようとする課題】
【０００５】
一般的なスライド式端末装置では、固定側筺体に対し可動側筺体がスライドするだけであるので、単に机の上に端末装置をおいただけでは画面を斜めから見ることになり、視認性が悪いものとなる。
【０００６】
以上から、机の上に置いたときの画面の視認性が良好な端末装置を提供することを目的とする。
【課題を解決するための手段】
【０００７】
一観点によれば、入力デバイスが設けられた固定側筐体と、表示デバイスが設けられた可動側筐体と、前記可動側筺体を前記固定側筺体に、スライド、回転及びチルト可能に接続する接続部と、前記可動側筺体のスライド時には前記可動側筺体のチルトを禁止し、前記可動側筺体を回転させると前記可動側筺体のチルトを許可するチルトロック機構とを有する端末装置が提供される。
【発明の効果】
【０００８】
上記観点の端末装置によれば、固定側筺体と可動側筺体とが接続部を介して接続されており、該接続部により可動側筺体のスライド、回転及びチルトを可能としている。この場合、可動側筺体がスライドした状態で可動側筺体にチルトする方向の応力が加えられると接続部が破損することが考えられる。しかし、上記観点の端末装置では、チルトロック機構によりスライド状態のときの可動側筺体のチルトを禁止しているので、接続部の破損を防止できる。
【図面の簡単な説明】
【０００９】
【図１】図１は、第１の実施形態に係る端末装置の外観図である。
【図２】図２は、第１の実施形態に係る端末装置の組み立て図である。
【図３】図３は、チルトロック時及びチルトロック解除時の状態を説明する図である。
【図４】図４は、端末装置の変形を説明する模式図である。
【図５】図５は、初期状態における端末装置の透視図である。
【図６】図６は、スライド状態における端末装置の透視図である。
【図７】図７は、スイング状態における端末装置の透視図である。
【図８】図８は、チルトロック機構がない場合の問題を説明する断面図（模式図）である。
【図９】図９は、第２の実施形態に係る端末装置のチルトロック機構を説明する模式図である。
【発明を実施するための形態】
【００１０】
以下、実施形態について、添付の図面を参照して説明する。
【００１１】
（第１の実施形態）
図１は第１の実施形態に係る端末装置の外観図、図２は同じくその端末装置の組み立て図である。なお、本実施形態では、端末装置が携帯電話の場合について説明している。
【００１２】
端末装置１０は、テンキー及びその他の操作キーを含む入力デバイス１ａが設けられたほぼ矩形状の固定側筐体１と、固定側筺体１の上に配置されて液晶パネル等の表示デバイス２ａが設けられた可動側筐体２とを有する。また、固定側筐体１と可動側筐体２との間には、可動側筺体２を固定側筺体１に、スライド、回転及びチルト可能に接続する接続部７が設けられている。
【００１３】
固定側筐体２の一端側には、接続部７が配置されるほぼ矩形状の凹部１１と、固定側筐体１の縁部から凹部１１内に突出するチルトロックフック１２とが設けられている。また、可動側筐体２の下面側の幅方向の両側には、可動側筐体２の長手方向に伸びる２本のスライドレール２１が設けられており、中央部にはスライドレール２１に平行にガイドレール２２が設けられている。更に、可動側筺体２には、ガイドレール２２の端部に連絡し、ガイドレール２２に対し斜め方向に延びるガイドレール２２ａが設けられている。
【００１４】
接続部７は、チルトプレート３、ベースプレート４及びスイングプレート５の３枚のプレートを有する。チルトプレート３は、固定側筐体１の凹部１１に対応してほぼ矩形状に形成されており、入力デバイス１ａ側の辺に相互に離隔して配置された２つのヒンジ（蝶番）６を介して固定側筐体１にチルト（傾斜）可能に接続されている。また、チルトプレート３のチルトロックフック１２に整合する位置には切り欠き部３２が設けられており、チルトプレート３がチルトする際にチルトロックフック１２が切り欠き部３２を通り抜けるようになっている。
【００１５】
ベースプレート４は円盤状に形成されており、チルトプレート３上に固定されている。このベースプレート４の縁部（チルトプレート３の切り欠き部３２側の縁部）には、可動側筐体２のガイドレール２２に係合するガイドピン４１が立設されている。なお、ベースプレート４は、チルトプレート３がチルトする際にチルトロックフック１２に接触しない位置に配置される。
【００１６】
スイングプレート５は、ベースプレート４の上に配置されたほぼ半円形の板状の部材であり、ベースプレート４の中心軸Ｐを回転中心として回転可能に配置されている。このスイングプレート５には、円弧状に形成されてガイドピン４１が貫通するガイド穴５３が設けられている。このガイド穴５３の曲率中心はベースプレート４の中心軸Ｐと一致しており、ガイドピン４１とガイド穴５３とによりスイングプレート５の回転可能な範囲が決定される。
【００１７】
また、スイングプレート５には、可動側筺体２のスライドレール２１に係合して可動側筺体２をスライド可能に把持するスライドレール把持部５１と、チルトロックフック１２よりも若干大きいサイズの切り欠き部５２とが設けられている。
【００１８】
図３（ａ）のように、ガイド穴５３の一端側がガイドピン４１に当接した状態では、可動側筺体２の中心軸Ｃ２と固定側筺体１の中心軸Ｃ１とが平行になる。この場合、スイングプレート５により、チルトプレート３の切り欠き部３２の上方が覆われる。このときのスイングプレート５の回転角を０°とする。この状態では、チルトプレート３をチルトさせようとしても、スイングプレート５がチルトロックフック１２に当接してチルトさせることができない。
【００１９】
図３（ｂ）のように、ガイド穴５３の他端側がガイドピン４１に当接するまでスイングプレート５を回転させると、可動側筺体２の中心軸Ｃ２が固定側筺体１の中心軸Ｃ１に対し直角になる。そして、スイングプレート５の切り欠き部５２が、チルトプレート３の切り欠き部３２及びチルトロックフック１２に整合する位置に配置される。このときのスイングプレート５の回転角を９０°とする。この状態では、チルトロックフック１２がスイングプレート５の切り欠き部５２を通り抜けることができるので、チルトプレート３をチルトさせることができる。
【００２０】
以下、本実施形態の端末装置１０の動作について、図４〜図６を参照して説明する。
【００２１】
本実施形態の端末装置１０は、固定側筺体１に対し可動側筺体２を移動させることにより、図４（ａ）〜（ｄ）のように変形する。
【００２２】
図４（ａ）は、固定側筺体１と可動側筺体２とが重なった状態を表した図である。以下、この状態を初期状態と呼ぶ。端末装置１０の電源がオンの場合、初期状態では、電話の着信やメールの受信を行うことができる。また、初期状態のままで表示デバイス２ａに動画又は静止画等を表示することも可能である。
【００２３】
図５は、初期状態における端末装置１０の透視図である。この図５のように、初期状態では、ガイドピン４１はスイングプレート５のガイド穴５３の一方の端部に当接している。また、スイングプレート５の切り欠き部５２は、チルトロックフック１２の位置から９０°ずれた位置にあり、チルトプレート３の切り欠き部３２はスイングプレート５の縁部に覆われている。
【００２４】
図４（ｂ）は、図４（ａ）の状態から可動側筺体２を矢印Ａ方向にスライドさせて、入力デバイス１ａを露出させた状態を表した図である。以下、この状態をスライド状態と呼ぶ。このスライド状態では、入力デバイス１ａを操作して電子メールの送受信などを行うことができる。
【００２５】
図６はスライド状態における端末装置１０の透視図である。可動側筺体２は、スライドレール把持部５１がスライドレール２１に係合し、且つガイドピン４１がガイドレール２２に係合した状態で、可動側筺体２の長手方向にスライドする。ガイドピン４１がガイドレール２２の端部に当接するまで可動側筺体２をスライドさせると、入力デバイス１ａが完全に露出して、キー操作が可能になる。
【００２６】
図４（ｃ）は、図４（ｂ）の状態から可動側筺体２を矢印Ｂ方向に９０°回転させた状態を表した図である。以下、この状態をスイング状態と呼ぶ。このスイング状態は、動画等の表示に適した横長の画面となる。但し、スイング状態の端末装置１０を机の上に置くと、画面を斜めから見ることになり、視認性はよくない。
【００２７】
図７は、スイング状態における端末装置１０の透視図である。スライド状態からスイング状態に移行する際には、スイングプレート５の回転にともなってガイドピン４１がガイドレール２２ａに沿って摺動する。そして、スイングプレート５の回転角が９０°になった時点で、ガイドピン４１はガイドレール２２ａの端部に当接する。また、スイング状態では、スイングプレート５の切り欠き部５２がチルトロックフック１２に整合する位置に配置され、チルトロックが解除された状態となる。
【００２８】
図４（ｄ）は、図４（ｃ）の状態から可動側筺体２を矢印Ｃ方向にチルト（傾斜）させた状態を表した図である。以下、この状態をチルト状態と呼ぶ。チルト状態は、端末装置１０を机の上において動画等を視聴するのに適している。なお、チルト状態のときは、ヒンジ６の固定部（固定側筺体１に固定される部分）と可動部（チルトプレート３に固定される部分）との間に発生する摩擦力により、チルトした状態が保持される。
【００２９】
ところで、本実施形態では、可動側筺体２をスライドさせたスライド状態（図４（ｂ），図６参照）では、図３（ａ）のように、チルトプレート３の切り欠き部３２がスイングプレート５に覆われており、チルトプレート３がチルトできないようにしている。このチルトロック機構がない場合は、以下のような問題が発生する。
【００３０】
図８は、チルトロック機構がない場合の問題を説明する断面図（模式図）である。この図８に表したように、スライド状態では、可動側筺体２が固定側筺体１から大きくせり出している。そして、可動側筺体２は、可動側筺体２の端部近傍に配置された一対のヒンジ６により支持されている。この状態で何らかの原因により可動側筺体２にチルトさせる方向の力（図８中矢印Ｂ）が加わると、てこの原理により、可動側筺体２の端部を支点（図８中矢印Ｃ）として、ヒンジ６を上方に持ち上げようとする大きな応力（図８中矢印Ｄ）が発生する。
【００３１】
可動側筺体２がスライド、回転及びチルトする本実施形態の端末装置１０では、ヒンジ６が固定側筺体１のほぼ中央部に配置され、ヒンジ６の下方は電子部品を配置するスペースとなる。従って、ヒンジ６として大型のものを使用することは困難であり、小型のものしか使用できない。このため、スライド状態のときに可動型筺体２にチルトさせる方向の応力が加わると、ヒンジ６が容易に破損してしまうことが考えられる。
【００３２】
そこで、本実施形態では、スライド状態のときにはスイングプレート５がチルトロックフック１２に当接して可動側筺体２をチルトできないようにしている。これにより、スライド状態のときに可動側筺体２にチルトする方向の力が加えられても、ヒンジ６の破損を防止できる。
【００３３】
上述したように、本実施形態に係る端末装置１０は、固定側筐体１と可動側筐体２との間に接続部７を設けているため、使用状況に応じて図４（ａ）〜（ｄ）のように変形させることができる。そして、図４（ｄ）に例示するチルト状態のときには、端末装置１０を机の上においても、表示デバイス２ａに表示される映像を正面から見ることができる。このため、視認性が良好である。
【００３４】
また、本実施形態に係る端末装置１０は、スライド状態のときに可動側筺体２のチルトを防止するチルトロック機構が設けられているため、ヒンジ６に大きな応力がかかることが回避される。これにより、ヒンジ６の破損が回避でき、端末装置１０の信頼性が向上するという効果を奏する。
【００３５】
（第２の実施形態）
図９（ａ），（ｂ）は第２の実施形態に係る端末装置のチルトロック機構を説明する模式図である。図９（ａ）は初期状態及びスライド状態におけるチルトロック機構の状態を表した図であり、図９（ｂ）はスイング状態及びチルト状態におけるチルトロック機構の状態を表した図である。なお、第２の実施形態が第１の実施形態と異なる点は、チルトロック機構の構造が異なることにあり、その他の構成は第１の実施形態と同様であるので、ここでは重複する部分の説明は省略する。
【００３６】
図９（ａ）のように、本実施形態の端末装置では、チルトロックフック１５が支軸１８に回動可能に支持されている。チルトロックフック１５の支軸１８よりも上側にはスイングプレート５の縁部上側に接触してチルトプレート３のチルトを阻止するフック部１５ａが設けられており、支軸１８よりも下側には磁石１６が設けられている。また、固定側筺体１の内壁面と磁石１６との間にはコイルばね１７が配置されている。更に、図９（ａ）に表したように、チルトロックフック１５が配置された空間は、仕切り壁１３により、チルトプレート３等が配置される空間と仕切られている。但し、仕切り壁１３には、チルトロックフック１５の先端部（フック部１５ａ）が突出可能な開口部１３ａが設けられている。
【００３７】
一方、チルトプレート３のチルトロックフック１５側端部にも磁石３５が配置されている。図９（ａ）のように、初期状態及びスライド状態のときは、磁石３５のＮ極と磁石１６のＮ極とが対向する。従って、磁石１６，３５間に反発力が発生し、磁石１６はばね１７の弾性力に逆らって仕切り壁１３から離れる方向に移動する。これにより、チルトロックフック１５の先端部（フック部１５ａ）は仕切り壁１３の開口部１３ａから突出し、スイングプレート５の縁部上側に当接して、チルトプレート３のチルトを阻止するチルトロック状態となる。
【００３８】
スイングプレート５が９０°回転して切り欠き部５２がフック部１５ａに整合する位置にくると（図３（ｂ）参照）、チルトロックが解除されてチルトプレート３はチルト可能になる。そして、図９（ｂ）のように可動側筺体２をチルトさせると、磁石３５は磁石１６から離れるため、磁石１６と磁石３５との間の反発力がなくなる。これにより、ばね１７はその弾性力により伸長して、磁石１６は仕切り壁１３に近づく方向に移動し、フック１５部ａは仕切り壁１３の内側に退避する。
【００３９】
第１の実施形態では、図２のようにチルトロックフック１２は固定側筺体１の縁部に固定されており、チルト状態のときにはチルトロックフック１２が露出している。このため、チルトロックフック１２に物や指が引っ掛かるおそれがあり、破損の原因となる。また、チルト状態のときにチルトロックフック１２が露出していると、美観が損なわれる。これに対し、本実施形態では、チルト状態のときにはチルトロックフック１５が仕切り壁１３の内側に退避するので、チルトロックフック１５に物や指が引っ掛かるおそれがなく、美観が損なわれることもない。
【００４０】
なお、上記第２の実施形態では磁石１６，３５の反発力とばね１７の付勢力とを利用してチルトロックフック１５を移動させている。しかし、チルトロックフック１５を移動させる機構はこれに限定されるものではなく、チルトロックフック１５を電磁石又は機械的な機構により移動させるようにしてもよい。
【００４１】
以上の実施形態に関し、更に以下の付記を開示する。
【００４２】
（付記１）入力デバイスが設けられた固定側筐体と、
表示デバイスが設けられた可動側筐体と、
前記可動側筺体を前記固定側筺体に、スライド、回転及びチルト可能に接続する接続部と、
前記可動側筺体のスライド時には前記可動側筺体のチルトを禁止し、前記可動側筺体を回転させると前記可動側筺体のチルトを許可するチルトロック機構と
を有することを特徴とする端末装置。
【００４３】
（付記２）前記接続部は、
チルトプレートと、
前記チルトプレートを前記固定側筺体にチルト可能に接続するヒンジと、
前記チルトプレートの上方に立設されたガイドピンと、
前記チルトプレートの上方に回転可能に配置され、前記可動側筺体を把持する把持部と前記ガイドピンが貫通する曲線状のガイド穴とを備えたスイングプレートとを有することを特徴とする付記１に記載の端末装置。
【００４４】
（付記３）前記固定側筺体には、前記接続部が配置される凹部が設けられていることを特徴とする付記１又は２に記載の端末装置。
【００４５】
（付記４）更に、前記固定側筺体に設けられたチルトロックフックと、
前記チルトロックフックに対応する大きさで前記スイングプレートに形成された切り欠き部とを有し、
前記チルトロック機構は前記チルトロックフックと前記スイングプレートとを含んで形成されていることを特徴とする付記２又は３に記載の端末装置。
【００４６】
（付記５）前記ヒンジが、前記固定側筺体の長手方向中央部に配置されていることを特徴とする付記２又は４に記載の端末装置。
【００４７】
（付記６）前記可動側筺体にはその長手方向に延びるスライドレールが設けられ、
前記スイングプレートの前記把持部は前記スライドレールをスライド可能に把持することを特徴とする付記２又は４に記載の端末装置。
【００４８】
（付記７）前記チルトロックフックは、前記固定側筺体に移動可能に設置されていることを特徴とする付記２又は４に記載の端末装置。
【００４９】
（付記８）前記チルトロックフック及び前記チルトプレートには、いずれも磁石が設けられていることを特徴とする付記７に記載の端末装置。
【符号の説明】
【００５０】
１…固定側筐体、１ａ…入力デバイス、２…可動側筐体、２ａ…表示デバイス、３…チルトプレート、４…ベースプレート、５…スイングプレート、６…ヒンジ、  ７…接続部、１０…端末装置、１１…凹部、１２，１５…チルトロックフック、１３…仕切り壁、１５ａ…フック部、１６，３５…磁石、１７…コイルばね、１８…支軸、２１…スライドレール、２２，２２ａ…ガイドレール、３２，５２…切り欠き部、４１…ガイドピン、５１…スライドレール把持部、５３…ガイド穴。
【図１】
2012060574.tif 000003
【図２】
2012060574.tif 000004
【図３】
2012060574.tif 000005
【図４】
2012060574.tif 000006
【図５】
2012060574.tif 000007
【図６】
2012060574.tif 000008
【図７】
2012060574.tif 000009
【図８】
2012060574.tif 000010
【図９】
2012060574.tif 000011